(57)【要約】【課題】呼び出し機能付き手摺りにおいて、手摺り使用時や行き来する時に誤って呼び出しボタンを動作させることがなく、呼び出し機能ユニットが手摺りに対して取り外し自在となり、機能ユニットを取り外し自在としても強度上支障がなく、さらには、機能ユニットの装着位置の変更が容易に行なえる。【解決手段】手摺りのブラケット１の端部に、押しボタン４１とその操作による通報信号を送信する機能を有する機能ユニット４を取り外し自在に装着する。機能ユニット４はブラケット１の端面方向から見て端面内に納まり、かつ、ブラケット１の壁面取付面内に納まるような形態とされる。これにより、機能ユニット４は取り外し自在としながら、外力を受け難いものとなる。【選択図】        図１
2005009101.tif 000002
【特許請求の範囲】
【請求項１】
壁面に相対向して取り付けられるブラケット間に握り棒を架設してなる、呼び出し通報機能を有する手摺りにおいて、
手摺り端部に、呼び出しボタンとその操作による通報信号を送信する機能を有する携帯容易な機能ユニットを取り外し自在に装着し、
この機能ユニットは前記ブラケットの端面方向から見て該端面内に納まり、かつ、該ブラケットの壁面取付面内に納まるような形態とされていることを特徴とする呼び出し機能付き手摺り。
【請求項２】
前記機能ユニットの呼び出しボタンは、手摺りの長手方向外側端面に配置されている請求項１に記載の呼び出し機能付き手摺り。
【請求項３】
前記機能ユニットは、前記ブラケットに対してフック等の係合手段を用いて装着され、その取り外しには複数アクションを必要とする構成とした請求項１又は請求項２に記載の呼び出し機能付き手摺り。
【請求項４】
前記機能ユニットは、前記ブラケットの外側端面の左右いずれの側にも取り付け可能に構成されている請求項１乃至請求項３のいずれかに記載の呼び出し機能付き手摺り。
【請求項５】
前記機能ユニットは送信確認用の発光部を有し、この発光部は手摺りの手前側に配置されている請求項１乃至請求項４のいずれかに記載の呼び出し機能付き手摺り。
【発明の詳細な説明】
【０００１】
【発明の属する技術分野】
本発明は、部屋の壁面に取り付けられるブラケット間に握り棒を架設してなる、呼び出し機能を有する手摺りに関する。
【０００２】
【従来の技術】
従来から、高齢者や身体障害者等の看護のために浴室、便所、階段等の壁面に手摺りを取り付けることが行われている。そして、この手摺りに、不意の事故の際に、その旨を浴室等外の居室に通報することができる呼び出し機能を付けたものがある（例えば、特許文献１参照）。
【０００３】
【特許文献１】
特開２０００−１８４９８１号公報
【０００４】
【発明が解決しようとする課題】
ところが、上記特許文献に示されるような従来の手摺りは、手摺りの延長上又は握り棒の部分に呼び出しボタンを有する通報機能部を付加するものがほとんどである。すなわち、呼び出しボタンが人の行き来する側にあったため、手摺り使用時や行き来する時に、誤って動作させる虞れがあった。また、通報機能部が手摺りに一体化固定されていて、取り外すことができないものとなっていた。このため、設置後に通報機能部の位置変更ができないものとなっていた。また、機能部を取り外し可能とすることは強度上においても難しかった。
【０００５】
本発明は、上記問題を解消するものであり、手摺り使用時や行き来する時に誤って呼び出しボタンを動作させることがなく、また、送信呼び出し機能ユニットが手摺りに対して取り外し自在となり、その機能ユニットを取り外し自在としても強度上支障がなく、さらには、設置後においても機能ユニットの装着位置の変更が容易に行なえる、呼び出し機能付き手摺りを提供することを目的とする。
【０００６】
【課題を解決するための手段及び発明の効果】
上記目的を達成するために本発明は、壁面に取り付けられるブラケット間に握り棒を架設してなる、呼び出し通報機能を有する手摺りにおいて、手摺り端部に、呼び出しボタンとその操作による通報信号を送信する機能を有する携帯容易な機能ユニットを取り外し自在に装着し、この機能ユニットは前記ブラケットの端面方向から見て該端面内に納まり、かつ、該ブラケットの壁面取付面内に納まるような形態とされているものである。
【０００７】
本発明によれば、機能ユニットは手摺り端部に装着されているので、従来のように呼び出し機能部を手摺り部に設けている場合に比べて、手摺り使用時や行き来する時に誤って呼び出しボタンを動作させることがない。しかも、機能ユニットはブラケットの端面内で、かつ壁面取付面内に納まった形態であり、出っ張っていないので、取り外し自在としながら、外力を受け難いものとなり、強度的に十分なものが得られる。また、機能ユニットが取り外し自在であるので、同ユニットに送信機能のための回路用電源として電池等が使用されている場合の電池交換も簡単に行なえる。
【０００８】
前記機能ユニットの呼び出しボタンは、手摺りの長手方向外側端面に配置されていることが好ましい。これにより、従来に比べて、呼び出しボタンにうっかり触れることによる誤動作を防ぐことができる。
【０００９】
前記機能ユニットは、ブラケットに対してフック等の係合手段を用いて装着され、その取り外しには複数アクションを必要とする構成とすることが好ましい。
これにより、使用者が手摺りでなく機能ユニットを不用意に持っても機能ユニットが外れることはなくなり、使用者が転倒するといったことが防止される。
【００１０】
前記機能ユニットは、ブラケットの外側端面の左右いずれの側にも取り付け可能に構成されていることが好ましい。これにより、手摺りを壁面から取り外すことなく、機能ユニットをブラケットの左右端面のいずれかから反対側の端面へ移動させることができる。
【００１１】
前記機能ユニットは送信確認用の発光部を有し、この発光部は手摺りの手前側に配置されていることが好ましい。これにより、手摺りの取り付け方向にかかわらず、発光部を視認し易く、呼び出しボタンが押されたことを容易に認識できる。
【００１２】
【発明の実施の形態】
以下、本発明の一実施形態による呼び出し機能付き手摺りについて図面を参照して説明する。図１、図２において、手摺りは、浴室等の壁面に取り付けられる左右一対の樹脂成形されたブラケット１，２と、このブラケット１，２間に架設される筒状の握り棒３（手摺り本体）と、一方のブラケット１の外側端面に取り外し自在に装着される呼び出し通報機能を有する携帯容易な機能ユニット４とから構成される。機能ユニット４は、凸状の押しボタン４１（呼び出しボタン）と、その操作により通報信号を送信したことを表示する発光部４２を有し、通報信号は電波により別の居室に設置される受信機５に送信される。
【００１３】
ブラケット１は、壁面取り付け部１１と、壁面取り付け部１１と一体的に成形され、握り棒３の一端を保持する手摺り受け部１２と、ブラケットカバー１３とから成る。壁面取り付け部１１は壁面にネジ等により取り付けられ、ブラケットカバー１３が化粧カバーとして被せられる。他方のブラケット２は、壁面取り付け部２１と、壁面取り付け部２１と一体的に成形され、握り棒３の他端を保持する手摺り受け部２２と、ブラケットカバー２３とから成る。上記と同様、壁面取り付け部２１は壁面にネジ等により取り付けられ、ブラケットカバー２３が化粧カバーとして被せられる。
【００１４】
ブラケット１の手摺り受け部１２には、手摺りの長手方向外側端面に機能ユニット４を取り外し自在に装着するためのユニット装着面１２ａが設けられている。機能ユニット４はブラケット１の端面方向から見て端面内、つまり手摺り受け部１２内に納まり（本例では、外形がユニット装着面１２ａの外形と略面一）、かつ、ブラケット１の壁面取付面内、つまり壁面取り付け部１１内に納まるような形態とされている。すなわち、機能ユニット４が出っ張っていないので、ユーザにより不用意に力がかかることが低減され、取り外し自在としながら、外力を受け難いものとなり、強度的に十分なものとなる。
【００１５】
また、機能ユニット４の手摺りの長手方向寸法ａは、指１本分程度（約２０ｍｍ）に薄くされている。これにより、使用者が手摺りつまり握り棒３でなく機能ユニット４を持っても、機能ユニット４が外れることはなく、取り外し構成の破壊により使用者が転倒するといったことが防止される。
【００１６】
機能ユニット４の押しボタン４１は、手摺りの長手方向外側端面に配置されており、ボタン押し方向は矢印Ａとなる。これにより、従来の押しボタンが手摺り部分に設けられている場合に比べて、手摺り使用時や行き来する時に押しボタン４１にうっかり触れて呼び出しボタンを動作させるといった誤動作を低減することができる。また、機能ユニット４の送信確認用の発光部４２には、ＬＥＤ等を用いており、この発光部４２は同ユニット４の壁側とは反対側、つまり手摺り手前側に配置されている。これにより、手摺りの取り付け方向にかかわらず、発光部４２を視認し易いものとなり、押しボタン４１が押されたことを容易に認識できるようにしている。
【００１７】
機能ユニット４は、図２の矢印Ｂに示すように、ユニット装着面１２ａから取り外し自在とされており、そのために両者にはフック等の係合手段を備えている。本例では、ユニット装着面１２ａに、嵌合穴１２ｂと、係合爪１２ｃが設けられ、それらに対応して機能ユニット４の装着面に、図３に示すように、装着面よりも僅かに突出した嵌合部４３が設けられている。この嵌合部４３は、係合爪４４と、切り欠き４５を有する。この係合爪４４はユニット装着面１２の係合爪１２ｃと互いに係合する。切り欠き４５は係合爪１２ｃを挿通させるものである。
なお、機能ユニット４の装着面には、同ユニットに内装された送信等の回路電源である電池の交換のためのカバー４６が設けられている。
【００１８】
機能ユニット４がユニット装着面１２ａに装着された状態では、嵌合部４３が嵌合穴１２ｂに嵌合し、係合爪４４が係合爪１２ｃと係合している。機能ユニット４をユニット装着面１２に装着された状態から外すときは、図４に示すように、機能ユニット４を先ず矢印Ｃ１方向に回転させる。そのときの機能ユニット４の回転軸は嵌合部４３である。これにより、切り欠き４５に係合爪１２ｃが合致した状態となるので、矢印Ｃ２方向に取り外すことができる。こうして、機能ユニット４の取り外し時には、複数アクションを必要とするので、使用者が手摺りでなく機能ユニット４を不用意に持っても、機能ユニット４が外れることはなくなり、このため、使用者が転倒するといったことが防止される。なお、機能ユニット４の装着時は上記と逆のステップとなる。
【００１９】
なお、ブラケットカバー１３は弾性係止爪１３ｂ（図４）を有し、これが機能ユニット４に当接することで同ユニット４の装着姿勢を保持する。また、ブラケットカバー１３は機能ユニット４の壁側端部の円弧形状に合わせた化粧隆起部１３ａを有している。
【００２０】
次に、機能ユニット４が、ブラケット１，２の外側端面の左右いずれの側にも取り付け可能に構成されていることについて図５を参照して説明する。機能ユニット４が装着されないブラケット２の手摺り受け部２２の外側端面にも、ブラケット１の嵌合穴１２ｂと同様の嵌合穴（図示なし）が設けられ、そこに目隠しキャップ７が装着されている。この目隠しキャップ７は、図５に示すごとく嵌合穴１２ｂに嵌合し得る嵌合部７ａを有する。
【００２１】
いま、機能ユニット４を図５の左側のブラケット１から右側のブラケット２に移動させるとき、ブラケット１から機能ユニット４と、ブラケットカバー１３を外す。また、ブラケット２から目隠しキャップ７とブラケットカバー２３を外す。これらを矢印のように左右で交換し、機能ユニット４とブラケットカバー１３をブラケット２側に装着し、目隠しキャップ７とブラケットカバー２３をブラケット１側に装着する。これにより、既設置の手摺りブラケット１，２を壁面から取り外すことなく、機能ユニット４を一方のブラケット端面から他方のブラケット端面へ移動させる、つまり、押しボタン４１の位置を変えることができる。
【００２２】
本実施形態においては、上述した作用効果に加えて、機能ユニット４が取り外し自在であるので、同ユニットに送信機能のための回路用電源として電池等が使用されている場合の電池交換を簡単に行なえる。また、押しボタン４１が凸形状であることにより、手摺りの取り付け方向にかかわらず、容易に押すことができる。
【００２３】
次に、他の実施形態について図６、図７を参照して説明する。この呼び出し機能付き手摺りは、先の実施形態に比べて、機能ユニット４のブラケット１への装着構造が異なり、それにより、機能ユニット４の取り外し要領が異なる。ユニット装着面１２ａには、Ｔ字状の嵌合穴１２ｅが設けられ、機能ユニット４には、それに嵌合し得る嵌合部４３が設けられている。機能ユニット４を取り外す時は、機能ユニット４を図６の矢印Ｄ１方向、つまり壁面反対方向にスライドさせた後に、矢印Ｄ２方向、つまり手摺り外側方向に引っ張り取り外す。なお、機能ユニット４を外すときのスライド方向をさらに増やし３アクションとすることも可能であり、それにより、さらに機能ユニット４が外れ難いものとなる。
【００２４】
さらに他の実施形態を説明する。（１）機能ユニットにリングやストラップ等を取り付けることにより、携帯電話などの多彩なストラップ等を取り付けることが可能となり携帯性が高まる。（２）取り外した機能ユニットの裏面に吸盤を取り付けられるようにすることで、手摺りの設置状況によっては、その近傍壁面に呼び出し機能を取り付けることができ、手摺りを持ちながらの呼び出しが可能となる。なお、本発明は、上記実施例の構成に限られることなく、発明の趣旨を変更しない範囲で種々の変形が可能である。
【図面の簡単な説明】
【図１】本発明の一実施形態による呼び出し機能付き手摺りと受信機の斜視図。
【図２】同手摺りの機能ユニット取り外しを示す斜視図。
【図３】同機能ユニットの装着面の斜視図。
【図４】同機能ユニット取り外し動作を示す斜視図
【図５】同機能ユニットを左右端面で交換する様子を示す斜視図。
【図６】本発明の他の実施形態による機能ユニットの取り外しを示す斜視図。
【図７】同機能ユニットの装着面の斜視図。
【符号の説明】
１  ブラケット
１１  壁面取り付け部
１２  手摺り受け部
１２ａ  ユニット装着面
１３  ブラケットカバー
２  ブラケット
２１  壁面取り付け部
２２  手摺り受け部
２３  ブラケットカバー
３  握り棒（手摺り本体）
４  機能ユニット
４１  押しボタン（呼び出しボタン）
４２  発光部
５  受信機
【図１】
2005009101.tif 000003
【図２】
2005009101.tif 000004
【図３】
2005009101.tif 000005
【図４】
2005009101.tif 000006
【図５】
2005009101.tif 000007
【図６】
2005009101.tif 000008
【図７】
2005009101.tif 000009